(57)【要約】【課題】断熱材を用いず板部の結露を防止できる換気口カバーを得ること。【解決手段】換気口カバーは、筒状の筒状部と、筒状部の一端側の開口縁に設けられて開口縁から外側に広がるフランジ部と、筒状部の一端側の開口と対向し、筒状部の中心軸方向に移動可能とされた板部１と、を備え、板部１は、開口に対向する第１の板部１ｂと、第１の板部１ｂを挟んで開口の反対側に設けられた第２の板部１ａと、を有し、第１の板部１ｂと第２の板部１ａとは互いの外縁同士が当接され、第１の板部１ｂと第２の板部１ａとの間には空気層１ｃが設けられていることを特徴とする。【選択図】図４
2020134002.tif 000002
【特許請求の範囲】
【請求項１】
筒状の筒状部と、
前記筒状部の一端側の開口縁に設けられて前記開口縁から外側に広がるフランジ部と、
前記筒状部の一端側の開口と対向し、前記筒状部の中心軸方向に移動可能とされた板部と、を備え、
前記板部は、前記開口に対向する第１の板部と、前記第１の板部を挟んで前記開口の反対側に設けられた第２の板部と、を有し、
前記第１の板部と前記第２の板部とは互いの外縁同士が当接され、前記第１の板部と前記第２の板部との間には空気層が設けられていることを特徴とする換気口カバー。
【請求項２】
前記板部は、前記中心軸方向に沿って見た場合に四角形形状であり、
前記第１の板部と前記第２の板部とは、前記四角形形状の４つの角部と、前記四角形形状の４つの辺のそれぞれの中央部で互いに係合する係合部を有することを特徴とする請求項１に記載の換気口カバー。
【請求項３】
前記第１の板部は、前記開口縁を含む平面と平行な平板部と、前記平板部の外縁から外側に向うにしたがって前記第２の板部に近づくテーパ部と、を有することを特徴とする請求項１または２に記載の換気口カバー。
【請求項４】
前記フランジ部には、前記中心軸方向に沿って延びるとともに前記テーパ部と対向して、前記テーパ部と平行な平行縁を有するリブが形成されていることを特徴とする請求項３に記載の換気口カバー。
【請求項５】
前記第１の板部に設けられて、前記第１の板部を前記フランジ部側に移動させた際に前記フランジ部に当接するパッキンをさらに備えることを特徴とする請求項１から４のいずれか１つに記載の換気口カバー。
【発明の詳細な説明】
【技術分野】
【０００１】
本発明は、室外から室内に通じる換気口の室内側に取付ける換気口カバーに関する。
【背景技術】
【０００２】
近年、住宅の高気密化が進んでいる。高気密化された住宅では、壁材などに用いられている揮発性有機化合物（ＶＯＣ）が原因のシックハウス症候群対策および室内の二酸化炭素濃度の抑制のために、排気ファンを設けるとともに室内の壁に給気口が形成される。給気口の室内側には、換気口カバーが取り付けられている。
【０００３】
換気口カバーには、給気口の開口に対向するとともに給気口の中心軸方向に移動可能とされて給気口を開閉可能な板部が設けられている。板部は、通常は開状態で使用されるが、給気口を通じて室内に流入する給気流を必要に応じて遮断するために閉状態にすることが可能となっている。例えば、冬季に給気口を通じて流入する冷たい給気流が身体にあたり居住者が不快に感じた場合または台風時に屋外から強風が室内に吹きこむおそれがある場合等に、板部によって給気口が閉じられる。
【０００４】
給気口の開口に対向する板部には、給気流が接触する。冬季に流入する冷たい給気流が板部に接触すると、室内温度との差によって板部の室内を向く面が結露し、結露水が滴下し室内を汚してしまう場合がある。特許文献１には、板部の給気口側を向く面の全体に断熱材であるパッキンを貼り付けて、結露を抑制する構成が開示されている。
【先行技術文献】
【特許文献】
【０００５】
【特許文献１】特開２０１８−１０９４６９号公報
【発明の概要】
【発明が解決しようとする課題】
【０００６】
しかしながら、断熱材を貼り付ける場合には、位置合わせ等の面倒な作業が発生するため、作業性の低下を招く。また、断熱材の粘着力が経時的に低下して、断熱材が剥がれてしまうおそれがある。
【０００７】
本発明は、上述した問題点を解決するためになされたものであり、断熱材を用いず板部の結露を防止できる換気口カバーを得ることを目的とする。
【課題を解決するための手段】
【０００８】
上述した課題を解決し、目的を達成するために、換気口カバーは、筒状の筒状部と、筒状部の一端側の開口縁に設けられて開口縁から外側に広がるフランジ部と、筒状部の一端側の開口と対向し、筒状部の中心軸方向に移動可能とされた板部と、を備える。板部は、開口に対向する第１の板部と、第１の板部を挟んで開口の反対側に設けられた第２の板部と、を有し、第１の板部と第２の板部とは互いの外縁同士が当接され、第１の板部と第２の板部との間には空気層が設けられていることを特徴とする。
【発明の効果】
【０００９】
本発明によれば、断熱材を用いず板部の結露を防止できる換気口カバーを得ることができるという効果を奏する。
【図面の簡単な説明】
【００１０】
【図１】本発明の実施の形態１にかかる換気口カバーの据付状態を示す縦断面図であって、給気量調整板が開状態となっている図
【図２】実施の形態１にかかる換気口カバーの据付状態を示す縦断面図であって、給気量調整板が閉状態となっている図
【図３】実施の形態１にかかる換気口カバーの分解斜視図
【図４】実施の形態１における給気量調整板の縦断面図
【図５】実施の形態１にかかる給気量調整板を気流制御板側から見た図
【図６】実施の形態１における意匠板と気流制御板の外縁部分を拡大した部分拡大断面図
【図７】実施の形態１にかかる給気量調整板の分解斜視図
【図８】実施の形態１にかかる換気口カバーにおいて、実使用条件を想定して結露試験を実施し、時間経過による温度変化を記録した図
【発明を実施するための形態】
【００１１】
以下に、本発明の実施の形態にかかる換気口カバーを図面に基づいて詳細に説明する。なお、この実施の形態によりこの発明が限定されるものではない。
【００１２】
実施の形態１．
図１は、本発明の実施の形態１にかかる換気口カバーの据付状態を示す縦断面図であって、給気量調整板が開状態となっている図である。図２は、実施の形態１にかかる換気口カバーの据付状態を示す縦断面図であって、給気量調整板が閉状態となっている図である。図３は、実施の形態１にかかる換気口カバーの分解斜視図である。
【００１３】
換気口カバー３０は、建物の壁または天井に形成された通風口に取り付けられて用いられる。本実施の形態１では、建物の壁１１を貫通して形成された通風口７に取り付けられた例を用いて換気口カバー３０の詳細な構成について説明する。
【００１４】
換気口カバー３０は、ベース本体２、給気量調整板１、ユニット３、フィルター４、フィルター抑え５、パッキン６を備える。
【００１５】
ベース本体２は、筒状の筒状部２ｂと、筒状部２ｂの一端側の開口２ｅの縁である開口縁に設けられて開口縁から外側に広がるフランジ部２ａとを有する。筒状部２ｂは円筒形状である。フランジ部２ａは、筒状部２ｂの中心軸方向に沿って見た場合に四角形状である。なお、以下の説明において、筒状部２ｂの中心軸方向に沿って見た状態を正面視と称する。また、筒状部２ｂの中心軸と垂直な方向に沿って見た状態を側面視と称する。
【００１６】
筒状部２ｂは、建物の壁１１に形成された通風口７に差し込まれる。正面視におけるフランジ部２ａは、通風口７の開口面積より大きい。フランジ部２ａは、側面視において厚みを有する。フランジ部２ａのうち壁１１と反対側を向く面には、給気量調整板１が嵌まる凹みである収納部２ｄが形成されている。収納部２ｄは正面視において四角形形状である。壁１１を挟んでフランジ部２ａがある側が室内であり、その反対側が室外である。
【００１７】
ユニット３は、筒状部２ｂの内側に固定される。ユニット３の固定の方法は特に限定されない。例えば、筒状部２ｂの内側に回転させながら差し込むことで、ユニット３が筒状部２ｂの内壁に係合するようにしてもよい。ユニット３は、機構部３ｂが有する軸３ａが筒状部２ｂの中心軸方向に沿って伸縮する構造となっている。
【００１８】
ユニット３の室外側には、フィルター抑え５によってフィルター４が固定される。フィルター４によって、室外から粉塵および虫等が室内へ侵入するのが防がれる。フィルター４は、交換可能とするために着脱可能とされている。
【００１９】
給気量調整板１は、筒状部２ｂの一端側の開口２ｅと対向する板部である。給気量調整板１は、後述する柱部がユニット３の軸３ａに形成された凹部３ｄに固定される。給気量調整板１は、軸３ａの伸縮に伴って、筒状部２ｂの中心軸に沿った方向に移動可能とされている。
【００２０】
給気量調整板１は、筒状部２ｂの中心軸に沿って室内側に移動することで、図１に示すようにフランジ部２ａとの間に隙間が形成された開状態となる。給気量調整板１の開状態では、給気量調整板１とフランジ部２ａとの隙間を通って、室外の空気が室内に流入可能となる。
【００２１】
給気量調整板１は、筒状部２ｂの中心軸に沿って室外側に移動することで、図２に示すようにフランジ部２ａとの隙間が小さくなった閉状態となる。給気量調整板１の閉状態では、給気量調整板１とフランジ部２ａとの間の隙間が小さく、室外の空気がほとんど室内に流入できない。
【００２２】
パッキン６は、給気量調整板１のうちフランジ部２ａと対向する面に取り付けられている。パッキン６は、閉状態においてフランジ部２ａに押し当てられて当接し、室外の空気の室内への流入をより確実に防ぐ。給気量調整板１は、通常は開状態とされている。給気量調整板１は、冬季に給気口を通じて流入する冷たい外気が身体にあたり居住者が不快に感じた場合または台風時に屋外から強風が室内に吹きこむおそれがある場合等に、閉状態とされて外気の流入が防がれる。
【００２３】
図４は、実施の形態１における給気量調整板の縦断面図である。給気量調整板１は、第１の板部である気流制御板１ｂと、第２の板部である意匠板１ａとを有する。気流制御板１ｂは、筒状部２ｂの一端側の開口２ｅに対向する。意匠板１ａは、気流制御板１ｂを挟んで開口２ｅの反対側に設けられる。気流制御板１ｂには、柱状の柱部１ｄが形成されている。この柱部１ｄが、ユニット３の軸３ａの凹部３ｄに固定される。
【００２４】
意匠板１ａと気流制御板１ｂとは互いの外縁同士が当接されている。外縁の内側である意匠板１ａと気流制御板１ｂとの間は、隙間が形成されて空気層１ｃとなっている。図５は、実施の形態１にかかる給気量調整板を気流制御板側から見た図である。図６は、実施の形態１における意匠板と気流制御板の外縁部分を拡大した部分拡大断面図である。図７は、実施の形態１にかかる給気量調整板の分解斜視図である。意匠板１ａと気流制御板１ｂとは、四角形形状の４つの角部と４つの辺のそれぞれの中央部に、互いに係合する係合部１ｅ，１ｆを有する。
【００２５】
意匠板１ａの係合部１ｅは、外縁に形成されて気流制御板１ｂ側に突出する断面が三角形状の三角リブの根本に外縁側に向けて凹む凹形状で形成される。気流制御板１ｂの係合部１ｆは三角リブの凹部に向かって突き出す突部で形成される。係合部１ｅ，１ｆによって意匠板１ａと気流制御板１ｂとを係合させることで、意匠板１ａと気流制御板１ｂに孔を設けずに互いを係合させることが可能となる。これにより、空気層１ｃへの外気の侵入を防止することが可能となる。
【００２６】
気流制御板１ｂは、筒状部２ｂの開口２ｅの縁を含む平面と平行な平板部１ｇと、平板部１ｇの外縁から外側に向うにしたがって意匠板１ａに近づくテーパ部１ｈとを有する。
【００２７】
図１および図２に戻って、フランジ部２ａの収納部２ｄの内側面には、リブであるガイドリブ２ｃが形成されている。ガイドリブ２ｃは、筒状部２ｂの中心軸方向に沿って延びるとともに、テーパ部１ｈと平行な平行縁２ｆを有している。平行縁２ｆは、閉状態の給気量調整板１をさらに室外側に押し込んだ際に当接する位置に設けられている。
【００２８】
以上説明した換気口カバー３０によれば、冷たい外気が気流制御板１ｂに当たり気流制御板１ｂの温度が低下しても、空気層１ｃによって意匠板１ａに伝導する熱を低減することができる。気流制御板１ｂの温度が低下しても、意匠板１ａの温度の低下を抑制することができる。これにより、室内空気の温度と意匠板１ａの表面の温度との差を低減することができ、室内の環境条件において意匠板１ａが露点温度まで到達しにくくなり、結露の発生を抑制し、結露水の滴下による室内汚染を防止することができる。
【００２９】
また、気流制御板１ｂに形成されたテーパ部１ｈによって、気流制御板１ｂに当たる空気が意匠板１ａ側に誘引されるため、フランジ部２ａの収納部２ｄの内側面に当たる外気を低減することができる。これにより、フランジ部２ａの収納部２ｄの内側面の温度低下を抑制し、結露の発生を抑制し、結露水の滴下による室内汚染を防止することができる。
【００３０】
また、給気量調整板１は、室外側に押し込むことで開状態と閉状態とを切り替える操作が可能であるが、意匠板１ａの中央部から外れた場所を押し込んだ場合、給気量調整板１が傾き操作しづらくなる。本実施の形態１では、フランジ部２ａに設けたガイドリブ２ｃによって給気量調整板１の傾きを抑制することができるため、給気量調整板１の操作性の向上を図ることができる。
【００３１】
図８は、実施の形態１にかかる換気口カバーにおいて、実使用条件を想定して結露試験を実施し、時間経過による温度変化を記録した図である。図８に示すとおり、本実施の形態１にかかる換気口カバー３０において、意匠板１ａ表面および収納部２ｄの内壁面の温度は露点温度を上回っており、結露の発生がないことが確認された。
【００３２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３３】
１  給気量調整板、１ａ  意匠板、１ｂ  気流制御板、１ｃ  空気層、１ｄ  柱部、１ｅ，１ｆ  係合部、１ｇ  平板部、１ｈ  テーパ部、２  ベース本体、２ａ  フランジ部、２ｂ  筒状部、２ｃ  ガイドリブ、２ｄ  収納部、２ｅ  開口、２ｆ  平行縁、３  ユニット、３ａ  軸、３ｂ  機構部、３ｄ  凹部、４  フィルター、５  フィルター抑え、６  パッキン、７  通風口、１１  壁、３０  換気口カバー。
【図１】
2020134002.tif 000003
【図２】
2020134002.tif 000004
【図３】
2020134002.tif 000005
【図４】
2020134002.tif 000006
【図５】
2020134002.tif 000007
【図６】
2020134002.tif 000008
【図７】
2020134002.tif 000009
【図８】
2020134002.tif 000010